(57)【要約】      （修正有）【課題】どんな拡大倍率にあっても映像がよくみえる照明手段付き顕微鏡装置を提供する。【解決手段】対物レンズの前方に配置される被観察物２００を照明する照明手段５を有する前記被観察物２００の映像を拡大する照明手段付き顕微鏡装置であって、前記照明手段５の前記被観察物２００に与える照度を前記映像の拡大倍率と正の相関関係を有するように変えることが可能に構成されていることを特徴とする照明手段付き顕微鏡装置を提供する。【選択図】図５
2009282493.tif 000002
【特許請求の範囲】
【請求項１】
対物レンズの前方に配置される被観察物を照明する照明手段を有する前記被観察物の映像を拡大する照明手段付き顕微鏡装置であって、前記照明手段の前記被観察物に与える照度を前記映像の拡大倍率と正の相関関係を有するように変えることが可能に構成されていることを特徴とする照明手段付き顕微鏡装装置。
【請求項２】
円筒状に形成され、且つ、その軸線を中心として正逆回動可能に取付けられている調整手段と、
前記対物レンズとして、前記被観察物に面するように取付けられ、且つ、前記調整手段の正逆回動に従って前記軸線に沿って往復動しながら前記映像の拡大倍率を変えるように前記円筒状の調整手段内に設置されているレンズユニットと、
前記調整手段の正逆回動量、または、前記調整手段の回動状態を感知するセンサー手段と、
前記照明手段の前記被観察物に与える照度を、前記センサー手段の感知結果に応じて変える回路基板とを備えていることを特徴とする請求項１に記載の照明手段付き顕微鏡装置。
【請求項３】
円筒状であって、前記円筒状の調整手段に内嵌し、且つ、その周壁に前記軸線と平行に延伸する案内通孔が設けられているフレーム手段を更に備えており、
前記調整手段は、前記フレーム手段の外周面を摺動して、前記軸線を中心として前記フレーム手段に対して正逆回動することが可能であり、前記軸線に沿って前記フレーム手段の外周面を摺動することが不可能になるように取付けられ、その内周面にらせん状の案内溝が設けられており、
前記レンズユニットは、前記軸線に沿って往復動することができるように前記円筒状のフレーム手段内に配置構成される上、前記案内通孔を貫通して前記調整手段の前記案内溝に挿し込まれている案内棒を有しており、
前記案内棒が前記案内通孔を貫通して前記調整手段の内周面に設けられた前記案内溝に挿し込まれているため、前記調整手段が前記軸線を中心として前記フレーム手段に対して正逆回動すると、前記案内棒が前記案内溝に案内されることにより、前記レンズユニットが前記軸線に沿って往復動するようになることを特徴とする請求項２に記載の照明手段付き顕微鏡装置。
【請求項４】
前記フレーム手段を収納しているケースと、
前記ケース内に固定され、且つ、その一面に前記フレーム手段が固定されている回路基板と、
前記レンズユニットから前記被観察物の拡大映像を受けて、該拡大映像の電子信号を出力することができるように、前記回路基板の一面に配置構成されているイメージキャプチャーユニットとを更に有していることを特徴とする請求項３に記載の照明手段付き顕微鏡装置。
【請求項５】
前記センサー手段は、前記調整手段の周面に沿って取付けられていて、該調整手段の回動により、前記軸線周りの方向に沿った所定の回動ルート上の位置が変わる１個以上感知対象部と、前記軸線と平行な赤外線を前記回動ルートに投光することができる前記回路基板上の位置にそれぞれが配置されている複数の投受光ユニットとからなり、前記感知対象部の配置パターン及び前記投受光ユニットの配置パターンが、前記感知対象部で反射した赤外線を受光する前記投受光ユニットの数量、または、各前記投受光ユニットにおける赤外線受光状態の変化の態様により、前記調整手段の正逆回動量を感知できるように予め設定されており、
前記回路基板は、前記照明手段の前記被観察物に与える照度を前記センサー手段によって感知された前記調整手段の正逆回動量に応じて変えることが可能に構成されていることを特徴とする請求項４に記載の照明手段付き顕微鏡装置。
【請求項６】
手持型であり、且つ、接眼レンズを有さず、前記イメージキャプチャーユニットが出力する電子信号を受ける電子スクリーンで前記拡大映像を表示するようになっていることを特徴とする請求項４または請求項５に記載の照明手段付き顕微鏡装置。
【請求項７】
前記照明手段は、前記対物レンズの前方に配置されていることを特徴とする請求項１または４に記載の照明手段付き顕微鏡装置。
【発明の詳細な説明】
【技術分野】
【０００１】
本発明は、顕微鏡装置に関し、特に、照明手段が付いている顕微鏡装置に関する。
【背景技術】
【０００２】
図１は、従来の照明手段付き顕微鏡装置２の斜視図であり、図２は、従来の照明手段付き顕微鏡装置２の一部分解図である。図１に示すように、該顕微鏡装置２は、従来の顕微鏡装置における接眼レンズに代えて電子スクリーン２２が設けられ、対物部２１の前方に配置される被観察物１００の映像を拡大して電子スクリーン２２に表示させることができるようになっている。そして、図２に示すように、対物部２１は、被観察物１００の映像を拡大する対物レンズユニット２１１と、被観察物１００を照明する為の照明手段２１２と、対物レンズユニット２１１及び照明手段２１２を保護するキャップ２１３とを有している。
【０００３】
また、対物部２１は、キャップ２１３を正逆回動することにより、その回動量に応じて対物レンズユニット２１１を被観察物１００に接近したり離間したりするように移動させて被観察物１００の映像の拡大倍率を調整することができるように構成されている。
【発明の概要】
【発明が解決しようとする課題】
【０００４】
しかしながら、このような照明手段付き顕微鏡装置は、照明手段が備わっているので、該照明手段の照明により被観察物を明るくすることで、その映像を従来の顕微鏡装置よりもはっきり見ることができるものの、映像の拡大倍率が高くなるにつれて映像が従来と同様にぼんやりし、見難くなってしまう。
【０００５】
従って、本発明はどんな拡大倍率であっても被観察物の映像がよく見える照明手段付き顕微鏡装置を提供することを目的とする。
【課題を解決するための手段】
【０００６】
上記目的を達成するために、発明者は、研究に研究を重ねた結果、顕微鏡装置の映像の拡大倍率が高まるにつれて被観察物の照度を増加する必要があることを発見し、該発見に基づき、本発明を完成した。
【０００７】
即ち、本発明は、対物レンズの前方に配置される被観察物を照明する照明手段を有する前記被観察物の映像を拡大する照明手段付き顕微鏡装置であって、前記照明手段の前記被観察物に与える照度を前記映像の拡大倍率と正の相関関係を有するように変えることが可能にに構成されていることを特徴とする照明手段付き顕微鏡装置を提供する。
【０００８】
前記照明手段の前記被観察物に与える照度を前記映像の拡大倍率と正の相関関係を有するように変える具体的な構成として、円筒状に形成され、且つ、その軸線を中心として正逆回動可能に取付けられている調整手段と、前記対物レンズとして、前記被観察物に面するように取付けられ、且つ、前記調整手段の正逆回動に従って前記軸線に沿って往復動しながら前記映像の拡大倍率を変えるように前記円筒状の調整手段内に設置されているレンズユニットと、前記調整手段の正逆回動量、または、前記調整手段の回動状態を感知するセンサー手段と、前記照明手段の前記被観察物に与える照度を、前記センサー手段の感知結果に応じて変える回路基板とを備えている構成が挙げられる。
【０００９】
また、本発明に係る照明手段付き顕微鏡装置は、円筒状であって、前記円筒状の調整手段に内嵌し、且つ、その周壁に前記軸線と平行に延伸する案内通孔が設けられているフレーム手段を更に備えてもよい。フレーム手段が備えられる場合、前記調整手段は、前記フレーム手段の外周面を摺動して、前記軸線を中心として前記フレーム手段に対して正逆回動することが可能であり、前記軸線に沿って前記フレーム手段の外周面を摺動することが不可能になるように取付けられ、その内周面にらせん状の案内溝が設けられており、前記レンズユニットは、前記軸線に沿って往復動することができるように前記円筒状のフレーム手段内に配置構成される上、前記案内通孔を貫通して前記調整手段の前記案内溝に挿し込まれている案内棒を有した構成とすることができる。上述のように、前記案内棒が前記案内通孔を貫通して前記調整手段の内周面に設けられた前記案内溝に挿し込まれているため、前記調整手段が前記軸線を中心として前記フレーム手段に対して正逆回動すると、前記案内棒が前記案内溝に案内されることにより、前記レンズユニットが前記軸線に沿って往復動する。
【００１０】
また、本発明に係る照明手段付き顕微鏡装置は、前記フレーム手段を収納しているケースと、前記ケース内に固定され、且つ、その一面に前記フレーム手段が固定されている回路基板と、前記レンズユニットから前記被観察物の拡大映像を受けて、該拡大映像の電子信号を出力することができるように、前記回路基板の一面に配置構成されているイメージキャプチャーユニットとを更に有することができる。
【００１１】
前記センサー手段は、前記調整手段の周面に沿って取付けられていて、該調整手段の回動により、前記軸線周りの方向に沿った所定の回動ルート上の位置が変わる１個以上感知対象部と、前記軸線と平行な赤外線を前記回動ルートに投光することができる前記回路基板上の位置にそれぞれが配置されている複数の投受光ユニットとからなり、前記感知対象部の配置パターン及び前記投受光ユニットの配置パターンが、前記感知対象部で反射した赤外線を受光する前記投受光ユニットの数量、または、各前記投受光ユニットにおける赤外線受光状態の変化の態様により、前記調整手段の正逆回動量を感知できるように予め設定されており、前記回路基板は、前記照明手段の前記被観察物に与える照度を前記センサー手段によって感知された前記調整手段の正逆回動量に応じて変えることが可能に構成されてもよい。
【００１２】
本発明に係る照明手段付き顕微鏡装置は、手持型であり、且つ、接眼レンズを有さず、前記イメージキャプチャーユニットが出力する電子信号を受ける電子スクリーンで前記拡大映像を表示する構成とすることもできる。
【００１３】
前記照明手段は、前記対物レンズの前方に配置することができる。
【発明の効果】
【００１４】
上記構成によれば、本発明の照明手段付き顕微鏡装置は、照明手段の被観察物に与える照度を被観察物の映像の拡大倍率と正の相関関係を有するように変えることが可能であるので、どのような拡大倍率であっても拡大映像が明るすぎることもなく暗すぎることもなく、該拡大映像をはっきり観察できる状態に維持することができる。
【図面の簡単な説明】
【００１５】
【図１】従来の照明手段付き顕微鏡装置の斜視図である。
【図２】従来の照明手段付き顕微鏡装置の一部分解図である。
【図３】好ましい実施形態における照明手段付き顕微鏡装置の外部構成を示す斜視図である。
【図４】好ましい実施形態における照明手段付き顕微鏡装置の一端部に配置されている対物レンズブロックの分解図である。
【図５】好ましい実施形態における照明手段付き顕微鏡装置の対物レンズブロックの断面図である。
【図６】感知対象部の配置パターン及び投受光ユニットの配置パターンの例を示す説明図。
【図７】感知対象部の配置パターン及び投受光ユニットの配置パターンの例を示す説明図。
【図８】ＵＳＢケーブルなどを経由して他のディスプレイ装置に拡大映像を表示させる様子を示す説明図である。
【発明を実施するための最良の形態】
【００１６】
以下、図面を参照しながら、本発明の好ましい実施形態について詳しく説明する。
【００１７】
まず、図３は本発明の照明手段付き顕微鏡装置の好ましい実施形態の外部構成を示している。また、図４は該照明手段付き顕微鏡装置の一端部に配置されている対物レンズブロックの分解図であり、図５は該対物レンズブロックの断面図である。
【００１８】
図３〜図５に示すように、本実施形態の照明手段付き顕微鏡装置の対物レンズブロックは、ケース８と、回路基板３と、フレーム手段６１と、レンズユニット６３と、イメージキャプチャーユニット４２と、調整手段６２と、センサー手段３２と、照明手段５とを有している。ケース８は、本実施形態の照明手段付き顕微鏡装置の他の部分をも収納している。回路基板３は、ケース８内に固定されている。フレーム手段６１は、回路基板３の一面３１に固定され、円筒状に形成されている。レンズユニット６３は、被観察物２００の映像を拡大することができるレンズ本体部４１を対物レンズとして有している。レンズユニット６３は、フレーム手段６１の軸線に沿って往復動できるように、フレーム手段６１内に取付けられている。イメージキャプチャーユニット４２は、レンズユニット６３から被観察物２００の拡大映像を受けて、該拡大映像の電子信号を出力することができるように、回路基板３の一面３１に配置構成されている。調整手段６２は、フレーム手段６１の外周面に正逆回動（時計方向の回動及び反時計方向の回動）可能に取付けられ、且つその回動によってレンズユニット６３の往復動を制御する。センサー手段３２は、調整手段６２の正逆回動量（時計方向の回動量及び反時計方向の回動量）を感知する。照明手段５は、レンズ本体部４１の前方（図４、図５における上方）に位置するように、フレーム手段６１の先端部に取付けられ、電線７、７を経由して回路基板３と電気的に接続され、且つセンサー手段３２の感知結果に応じて被観察物２００に与える照度が変えられるように制御される。
【００１９】
また、ケース８の一部となると共に、各部材を保護する開口８１付きキャップ８２が、フレーム手段６１の先端部に取付けられている。
【００２０】
図５に示すように、本実施形態の照明手段付き顕微鏡装置は、キャップ８２を被観察物２００に当てて、レンズ本体部４１を被観察物２００に面するようにし、開口８１の前方、即ち図４、図５における上方にある被観察物２００の映像を取り込み、レンズユニット６３で該映像を拡大し、イメージキャプチャーユニット４２で拡大された該映像の電子信号を出力することができる。
【００２１】
次いで、調整手段６２の回動によりレンズユニット６３の往復動を制御して被観察物２００の映像の拡大倍率を調整する構成について詳しく説明する。調整手段６２は、フレーム手段６１と同じく円筒状に形成され、フレーム手段６１の外周面に面する内周面６２１には、らせん状の案内溝６２２が設けられ、その外周面６２３には、ユーザーが摘んで回しやすい円盤状のフランジ６２４が設けられている。更に、調整手段６２は、フレーム手段６１の外周面を摺動して、その軸線（フレーム手段６１の軸線と一致する）を中心として正逆回動可能にフレーム手段６１の外周面に取付けられている一方、フレーム手段６１の軸線に沿ってフレーム手段６１の外周面に対する摺動が不可能に制限されている。フレーム手段６１の周壁には、その軸線と平行に延伸する案内通孔６１１が設けられている。レンズユニット６３の外周面６３１には、案内通孔６１１を貫通して調整手段６２の案内溝６２２に挿し込まれている案内棒６３２が形成されている。
【００２２】
この構成により、調整手段６２がフレーム手段６１に対して回動すると、案内棒６３２が案内通孔６１１を貫通して調整手段６２の内周面６２１に設けられた案内溝６２２に挿し込まれているため、レンズユニット６３は、該案内溝６２２に案内されてフレーム手段６１の軸線に沿って往復動することができる。この往復動により、レンズユニット６３の映像の拡大倍率が変動する。
【００２３】
次いで、調整手段６２の正逆回動量を感知するセンサー手段３２について詳しく説明する。
【００２４】
センサー手段３２は、調整手段６２の外周面６２３に取付けられていて、調整手段６２の回動により、フレーム手段６１の軸線周りの方向に沿った所定の回動ルート上の位置が変わる複数の感知対象部３２１、３２１、３２１と、フレーム手段６１の軸線と平行な赤外線を回動ルートに投光することができる回路基板３の位置、即ち、図４中の感知対象部３２１の回動ルート直下の位置にそれぞれが配置されている複数の投受光ユニット３２２、３２２、３２２とを備えている。
【００２５】
投受光ユニット３２２は、フレーム手段６１の軸線と平行な赤外線を投光することができる投光手段と、投光手段から投光され、感知対象部３２１に反射された赤外線を受光することができる受光手段とを有している。
【００２６】
調整手段６２の回動によって、何れかの感知対象部３２１が何れかの投受光ユニット３２２の直上に位置するようになると、該投受光ユニット３２２の投光手段より投光された赤外線がその直上にある感知対象部３２１に反射され、受光手段に受光される。
【００２７】
感知対象部３２１の配置パターン及び投受光ユニット３２２の配置パターンは、感知対象部３２１で反射した赤外線を受光手段で受光する投受光ユニット３２２の数量を認識することにより、調整手段６２の正逆回動量を感知することができるように予め設定することができる。
【００２８】
例えば、図６の（ｉ）に示すように、各感知対象部３２１を、調整手段６２の外周面６２３に３０°ずつの間隔を空けて取付け、各投受光ユニット３２２を、フレーム手段６１の軸線を中心に３０°ずつの間隔を空けて感知対象部３２１の回動ルート直下の位置に配置することができる。
【００２９】
図６に示すような配置パターンの場合、センサー手段３２は、調整手段６２の正逆回動量を次のように感知することができる。尚、ここでの調整手段６２が取り得る回動状態は、図６（ｉ）に示す状態（赤外線を受光する投受光ユニット３２２の数量が３つとなる状態）と、図６（ｉｉ）に示す状態（赤外線を受光する投受光ユニット３２２の数量が２つとなる状態）と、図６（ｉｉｉ）に示す状態（赤外線を受光する投受光ユニット３２２の数量が１つとなる状態）との３つの状態とする。
【００３０】
この図６（ｉ）に示す状態から調整手段６２が反時計方向に回動し、図６（ｉｉ）に示す状態になると、赤外線を受光する投受光ユニット３２２の数量が３個から２個となる。センサー手段３２は、この３個から２個への変化を認識することによって、調整手段６２が図６（ｉ）に示す状態から反時計方向へ３０°回動したことを感知する。
【００３１】
この図６（ｉｉ）に示す状態から調整手段６２が更に反時計方向に回動し、図６（ｉｉｉ）に示す状態になると、赤外線を受光する投受光ユニット３２２の数量が２個から１個となる。センサー手段３２は、この２個から１個への変化を認識することによって、調整手段６２が図６（ｉｉ）に示す状態から反時計方向へ更に３０°回動したことを感知する。
【００３２】
もし、この図６（ｉｉ）に示す状態から調整手段６２が時計方向に回動し、図６（ｉ）に示す状態になると、赤外線を受光する投受光ユニット３２２の数量が２個から３個に戻り、センサー手段３２は、この２個から３個への変化を認識することによって、調整手段６２が図６（ｉｉ）に示す状態から時計方向へ３０°回動したことを感知する。
【００３３】
また、各投受光ユニット３２２に互いに異なるｉｄを与えている場合、調整手段６２の正逆回動量を各投受光ユニット３２２の赤外線受光状態の変化の態様により感知することができる。ここでは、図７に示すように、感知対象部３２１が、調整手段６２の外周面６２１に９０°ずつの間隔を空けて取付けられ、そして各投受光ユニット３２２Ａ、３２２Ｂ、３２２Ｃがフレーム手段６１の軸線を中心に９０°ずつの間隔を空けて感知対象部３２１の回動ルート直下の位置に配置されているものとする。
【００３４】
表１は、調整手段６２の回動状態と、各投受光ユニット３２２Ａ、３２２Ｂ、３２２Ｃにおける赤外線受光状態との関係を示す表である。
【表１】
2009282493.tif 000003
表１の（１）に示すように、図７の（ｉ）に示す状態では、全ての投受光ユニット３２２Ａ、３２２Ｂ、３２２Ｃが赤外線を受光する。表１の（２）に示すように、図７（ｉｉ）に示す状態（図７（ｉ）に示す状態から反時計方向に９０°（または時計方向に２７０°）調整手段６２が回動した状態）では、投受光ユニット３２２Ａ、３２２Ｂのみが赤外線を受光する。表１の（３）に示すように、図７（ｉ）に示す状態から反時計方向及び時計方向に１８０°調整手段６２が回動した状態では、投受光ユニット３２２Ａ、３２２Ｃのみが赤外線を受光する。表１の（４）に示すように、図７（ｉｉｉ）に示す状態（図７（ｉ）に示す状態から反時計方向に２７０°（または時計方向に９０°）調整手段６２が回動した状態）では、投受光ユニット３２２Ｂ、３２２Ｃのみが赤外線を受光する。尚、表１には記載していないが、表１の（１）〜（４）の何れにも該当しない状態においては、全ての投受光ユニット３２２Ａ、３２２Ｂ、３２２Ｃが、赤外線を受光しない。
【００３５】
このように各投受光ユニット３２２Ａ、３２２Ｂ、３２２Ｃにおける赤外線受光状態が変化することで、調整手段６２が反時計方向に回動した場合は、該赤外線受光状態が表１の（１）→（２）→（３）→（４）→（１）…に示す順で変化する。一方、調整手段６２が時計方向に回動した場合は、該赤外線受光状態が表１の（１）→（４）→（３）→（２）→（１）…に示す順で変化する。
【００３６】
例えば、この図７（ｉ）に示す状態から調整手段６２が反時計方向に１８０°回動した場合、赤外線受光状態が表１の（１）→（２）→（３）に示す順で変化する。赤外線受光状態がこのような順で変化した場合、調整手段６２の回動方向を反時計方向と判断できる。また、調整手段６２が９０°回動する毎に赤外線受光状態が表１の（１）〜（４）の何れかに切り替る。赤外線受光状態が表１の（１）→（２）→（３）に示す順で変化した場合は、赤外線受光状態が表１の（１）から表１の（２）への切り替え、及び、表１の（２）から表１の（３）への切り替えの２回の切り替えが行われる。２回の切り替えから、回動量が１８０°と判断できる。以上のように、調整手段６２の回動方向を反時計方向と判断でき、且つ、調整手段６２の回動量が１８０°と判断できるので、赤外線受光状態が表１の（１）→（２）→（３）に示す順で変化すると、センサー手段３２は、調整手段６２が反時計方向に１８０°回動したとことを感知する。
【００３７】
回路基板３は、以上のようにセンサー手段３２が感知した調整手段６２の正逆回動量に基づいてレンズユニット６３の映像の拡大倍率の変動量を算出する。尚、回路基板３には、調整手段６２の正逆回動量とレンズユニット６３の映像の拡大倍率との関係が記憶されている。レンズユニット６３の映像の拡大倍率の変動量を算出すると、回路基板３は、調整手段６２の回動前のレンズユニット６３の映像の拡大倍率と、算出したレンズユニット６３の映像の拡大倍率の変動量とから調整手段６２の回動後のレンズユニット６３の映像の拡大倍率を推定する。尚、回路基板３には、回動前のレンズユニット６３の映像の拡大倍率が記憶されている。そして、回路基板３は、推定した回動後のレンズユニット６３の映像の拡大倍率と照明手段５の被観察物２００に与える照度が正の相関関係を有するように照明手段５に提供する電力を変えることによって、被観察物２００に与える照度を制御する。尚、回路基板３には、映像の拡大倍率と照明手段５の被観察物に与える照度との関係が記憶されている。
【００３８】
尚、回路基板３は、センサー手段３２が感知する調整手段６２の回動状態、即ち、赤外線を受光する投受光ユニット３２２の数量から回動後のレンズユニット６３の映像の拡大倍率を推定してもよい。具体的には、赤外線を受光する投受光ユニット３２２の数量とレンズユニット６３の映像の拡大倍率との関係を回路基板３に予め記憶させておき、回路基板３は、該対応関係を用いて、センサー手段３２が感知する赤外線を受光する投受光ユニット３２２の数量から回動後のレンズユニット６３の映像の拡大倍率を推定してもよい。赤外線を受光する投受光ユニット３２２の数量とレンズユニット６３の映像の拡大倍率との関係としては、例えば、赤外線を受光する投受光ユニット３２２の数量が３のとき（図６（ｉ）に示す状態）は拡大倍率が５倍であり、赤外線を受光する投受光ユニット３２２の数量が２のとき（図６（ｉｉ）に示す状態）は拡大倍率が１０倍であり、赤外線を受光する投受光ユニット３２２の数量が１のとき（図６（ｉｉｉ）に示す状態）は拡大倍率が１５倍である関係を挙げることができる。このような関係を用いて回動後のレンズユニット６３の映像の拡大倍率を推定する場合は、調整手段６２の回動による拡大倍率の変動量の算出が不要であるため、より簡単な制御で回動後のレンズユニット６３の映像の拡大倍率を推定することができる。
【００３９】
また、上記図６及び図７に示す感知対象部３２１の配置パターン及び投受光ユニット３２２の配置パターンは例示にすぎず、必要に応じて自由に変更することができ、そして感知対象部３２１の配置パターンと投受光ユニット３２２の配置パターンとは一致する必要がない。
【００４０】
尚、被観察物２００を観察するのに必要な照度は、レンズユニット６３の映像の拡大倍率だけではなく、被観察物２００の種類にも影響されるので、照明手段５の被観察物２００に与える照度は、ある程度の範囲内において調整手段６２の正逆回動量及び回動状態以外の他の要因による調整を加えることができ、または、場合により、ユーザーにより強制的に制御できるように本実施形態の照明手段付き顕微鏡装置が構成されることが好ましい。
【００４１】
イメージキャプチャーユニット４２はレンズユニット６３から被観察物２００の拡大映像を受けて、該拡大映像の電子信号を出力するので、図４、図５に示すように、レンズユニット６３のレンズ本体部４１の直下に配置することが好ましい。イメージキャプチャーユニット４２が出力する電子信号を、例えば図８に示すように、ＵＳＢケーブル４００を経由してコンピュータに転送することで、コンピュータのディスプレイ５００に被観察物２００の拡大映像を表示させることができる。また、本発明を手持型の顕微鏡装置として構成する場合、図２に示すように、顕微鏡装置本体に小型のディスプレイや電子スクリーンを設けることで、本発明に係る照明手段付き顕微鏡装置に被観察物２００の拡大映像を表示させることもできる。
【００４２】
また、イメージキャプチャーユニット４２の具体的な構成やレンズ本体部４１との対応については、従来の技術を用いて達成することができるので、更なる詳しい説明を省略する。尚、イメージキャプチャーユニット４２は、例えば、ＣＣＤセンサー等によって構成できる。
【００４３】
照明手段５は、フレーム手段６１の先端部に取付けられている照明用回路板５１と、照明用回路板５１に取付けられている複数の照明ユニット５２とを備えている。照明用回路板５１は電線７、７を経由して回路基板３と電気的に接続され、回路基板３から制御信号や駆動に必要な電力を受けることができる。照明ユニット５２として発光ダイオードや小型の電球など、あらゆる種類の発光デバイスを用いることが出来、必要な照度や色など応じて、好ましいデバイスを選択することができる。
【００４４】
この実施形態において、電線７はレンズユニット６３を貫通するため、レンズユニット６３には電線７用の通過孔６３３が設けられているが、電線７が他の経路を通過するように配線することもできる。
【産業上の利用可能性】
【００４５】
上記構成によれば、本発明の照明手段付き顕微鏡装置はどんな拡大倍率にあっても適切な照度で被観察物を照明することができ、被観察物の拡大映像をよりはっきりと見える優れた顕微鏡装置を提供することができる。
【符号の説明】
【００４６】
２００  被観察物
３  回路基板
３１  面
３２  センサー手段
３２１  感知対象部
３２２  投受光ユニット
４００  ＵＳＢケーブル
４１  レンズ本体部
４２  イメージキャプチャーユニット
５  照明手段
５００  ディスプレイ
５１  照明用回路板
５２  照明ユニット
６１  フレーム手段６１１  案内通孔
６２  調整手段
６２１  内周面
６２２  案内溝
６２３  外周面
６２４  フランジ
６３  レンズユニット
６３１  外周面
６３２  案内棒
６３３  通過孔
７  電線
８  ケース
８１  開口
８２  キャップ
【図１】
2009282493.tif 000004
【図２】
2009282493.tif 000005
【図３】
2009282493.tif 000006
【図４】
2009282493.tif 000007
【図５】
2009282493.tif 000008
【図６】
2009282493.tif 000009
【図７】
2009282493.tif 000010
【図８】
2009282493.tif 000011